(57)【要約】      （修正有）【課題】身体に装着させて少なくとも皮膚温度を測定する体温測定装置に関し、皮膚に対する温度センサの接触を確保し、装置装着による違和感や不快感を軽減させて装着性を向上させる装置を提供する。【解決手段】測定者の皮膚上に着用している衣類に装着させて少なくとも皮膚温度を測定するものであり、皮膚温度センサ１５を測定者の皮膚側となる装置本体１２の皮膚側筐体面１３の所定位置に配置させ、クリップ部１７を皮膚温度センサ１５が配置されている皮膚側筐体面１３より低い段差面１３Ａに開閉自在に設け、当該クリップ部１７と段差面１３Ａとにより衣類の一端を挟持させた際に、当該クリップ部１７が皮膚温度センサ１５の配置されている皮膚側筐体面１３と略平面状態とさせる構成とする。【選択図】図１
2019180979.tif 000002
【特許請求の範囲】
【請求項１】
測定者の皮膚上に着用している衣類に装着させて少なくとも皮膚温度を測定する体温測定装置であって、
装置本体と、
測定者の皮膚側となる前記装置本体の筐体面の所定位置に配置されて皮膚温度を測定するための皮膚温度センサと、
前記皮膚温度センサが配置されている筐体面より低い段差面に開閉自在に設けられて当該段差面と前記衣類の一端を挟持するものであり、当該挟持の際に当該皮膚温度センサの配置されている筐体面と略平面状態となるクリップ部と、
を有することを特徴とする体温測定装置。
【発明の詳細な説明】
【技術分野】
【０００１】
本発明は、身体に装着させて少なくとも皮膚温度を測定する体温測定装置に関する。
【背景技術】
【０００２】
近年、健康管理を目的として、就寝中や運動中、作業中等の長時間にわたり体温を測定するニーズが高まっている。体温を測定するためには口内や腋下で測定するのが一般的だが、これらの位置では長時間の体温を測定することは困難である。長時間の体温を測定する方法として、機器を身体に装着し体表温度(皮膚温度)を測定する方法が知られており、測定者に装置装着の違和感を与えず、皮膚に温度検出のセンサを確実に接触状態とさせることが望まれる。
【０００３】
従来、少なくとも皮膚温度を測定するための体温測定装置は、例えば特許文献１〜３等により知られている。特許文献１には、身体温度情報端末装置として、ケーシングの体表面側となる面に体表温度検出部が当該ケーシングより突出されて設けられ、反対面に外気温度検出部が当該ケーシングより突出されて設けられた構成とし、ケーシングを衣類の中に装着させる装置として記載されている。
【０００４】
また、特許文献２には、ウエアラブルセンサ装置として、ケーシング内部の体表面側となる面に体表温度検出部が設けられ、反対面に外気温度検出部が設けられて当該ケーシングを衣類の中に装着させるもので、体表温度がケーシングを通じて体表温度検出部の測温素子に熱伝導させることによって測温されることが記載されている。
【０００５】
さらに、特許文献３には、装着式温度測定装置として、ケーシングの体表面側となる面に体表温度検出部が当該ケーシングと同一面に表出されて設けられ、体表面と反対側であって、ケーシング内部の表示部の裏面側に設けられた構成とし、ケーシングを衣類の中に装着させる装置として記載されている。
【先行技術文献】
【特許文献】
【０００６】
【特許文献１】特許第３９０９３０１号公報
【特許文献２】特許第６１６３６３７号公報
【特許文献３】特開２００８−１２８７８１号公報
【発明の概要】
【発明が解決しようとする課題】
【０００７】
しかしながら、上述の特許文献１〜３の何れもケーシングを衣類の中に装着させるもので、特許文献１の図６に示されるように衣類の中で厚みのあるケーシングの周辺で空間がある状態では測定者に対して皮膚に接触している装置（ケーシング）を意識させ易く、睡眠中や日常の行動で違和感や不快感を生じさせるという問題がある。
【０００８】
そこで、本発明は上記課題に鑑みなされたもので、皮膚に対する温度センサの接触を確保し、装置装着による違和感や不快感を軽減させて装着性を向上させる体温測定装置を提供することを目的とする。
【課題を解決するための手段】
【０００９】
上記課題を解決するために、請求項１の発明では、測定者の皮膚上に着用している衣類に装着させて少なくとも皮膚温度を測定する体温測定装置であって、装置本体と、測定者の皮膚側となる前記装置本体の筐体面の所定位置に配置されて皮膚温度を測定するための皮膚温度センサと、前記皮膚温度センサが配置されている筐体面より低い段差面に開閉自在に設けられて当該段差面と前記衣類の一端を挟持するものであり、当該挟持の際に当該皮膚温度センサの配置されている筐体面と略平面状態となるクリップ部と、を有する構成とする。
【発明の効果】
【００１０】
請求項１の発明によれば、皮膚温度センサを測定者の皮膚側となる装置本体の筐体面の所定位置に配置させ、クリップ部を皮膚温度センサが配置されている筐体面より低い段差面に開閉自在に設け、当該クリップ部と段差面とにより衣類の一端を挟持させた際に、当該クリップ部が皮膚温度センサの配置されている筐体面と略平面状態とさせる構成とすることにより、測定者の皮膚側にはクリップ部が位置されることで衣類とクリップ部との周辺の空間を少なくさせて衣類との一体感を与え、装置装着による違和感や不快感を軽減させて装着性を向上させることができるものである。また、装着時のクリップ部と皮膚温度センサの配置されている筐体面とを略平面状態とさせることから、皮膚に温度センサをむやみに押し付けることなく接触状態を確保することができるものである。
【図面の簡単な説明】
【００１１】
【図１】本発明に係る体温測定装置の構成図である。
【図２】図１の体温測定装置におけるクリップ部の動作説明図である。
【図３】図１の体温測定装置の使用状態の説明図である。
【図４】本発明に係る体温測定装置のクリップ部の他の形状の説明図である。
【発明を実施するための形態】
【００１２】
以下、本発明の実施形態を図により説明する。
図１に本発明に係る体温測定装置の構成図を示すと共に、図２に図１の体温測定装置におけるクリップ部の動作説明図を示す。図１（Ａ）〜（Ｃ）において、体温測定装置１１は、測定者の皮膚上に着用している衣類に装着させて少なくとも皮膚温度を測定するもので、装置本体１２にクリップ部１７が設けられた構成である。
【００１３】
装置本体１２は、筐体の一方面を測定者の皮膚側となる筐体面（皮膚側筐体面１３）とし、当該皮膚側筐体面１３の所定位置（一端部分）に皮膚温度を測定するための皮膚温度センサ１５が当該皮膚側筐体面１３より測定者に違和感を与えない程度の所定高さで突出した状態で配置される。なお、皮膚温度センサ１５は、その先端部分を突出させることが好ましいが、皮膚側筺体面１３と同一面であってもよい
【００１４】
この実施形態では、本発明における体温測定装置１１を、皮膚温度と外部温度とにより体温を特定するための装置に適用させる場合として、筐体の他方面（筐体反対面１４）の所定位置に、例えばその先端部分が筐体の内部側に位置される外部温度センサ１９が設けられた構成として示している。なお、外部温度センサ１９は上記筐体反対面１４に限らず、皮膚温度センサ１５が設けられる筐体面以外の筐体面に設けることとしてもよい。また、体温測定装置１１は、体温測定機能以外にも、心電波形や心拍を測定するための心電センサや、人の体勢や呼吸等の体の動きを検知するための加速度センサを搭載するものであってもよい。
【００１５】
装置本体１２の筐体は、例えばアクリロニトリル・ブタジエン・スチレン（ＡＢＳ）、シリコン、ポリプロピレン（ＰＰ）、ポリエステル（ＰＥ）等の樹脂で形成され、皮膚温度センサ１５及び外部温度センサ１９が実装されて少なくとも皮膚温度センサ１５により測定される皮膚温度の処理に関する電子回路部２０を内包する所定の厚さのものである。
【００１６】
また、装置本体１２の筐体には、皮膚温度センサ１５が配置されている皮膚側筐体面１３より低い段差面１３Ａが形成され、当該段差部分に設けられたクリップ開閉基部１６と一体的にクリップ部１７が設けられるもので、図２に示すように、クリップ開閉基部１６を軸として開閉自在とされる。
【００１７】
上記クリップ部１７は、装置本体１２の筐体と同じ材質でもよく、異なる材質のものであってもよいが、装置本体１２の厚さに比べて薄厚のものである。当該クリップ開閉基部１６には、図示しないが、クリップ部１７を閉状態とさせるときに付勢力が働く機構のものであって、従前より知られている機構を適用するものとして詳細を省略する。
【００１８】
また、装置本体１２の段差面１３Ａに設けられたクリップ部１７は、皮膚温度センサ１５が設けられた皮膚側筐体面１３より所定距離Ｄで低くなるように設けられる。当該距離Ｄは、クリップ部１７の衣類装着面１７Ａ（図２参照）と段差面１３Ａとにより衣類の一端を挟持した際に当該クリップ部１７と皮膚側筐体面１３とが略平面状態となるように、例えば装着する衣類を想定して設定される。
【００１９】
さらに、クリップ部１７の衣類装着面１７Ａには、例えばゴム材のような滑り止め部１８が設けられる（図２参照）。当該滑り止め部１８は、衣類に装着したときに当該衣類に対してずれないようにするためのもので、設けられる位置は、衣類装着面１７Ａ側に限らず、段差面１３Ａ側に設けてもよく、また、両方に設けてもよい。すなわち、滑り止め部１８は、その目的からして、上記のような部材であってもよく、例えば衣類装着面１７Ａや段差面１３Ａの何れか一方又は両方を凹凸に加工することとしてもよい。上記両方に凹凸を形成する場合には互いに嵌合するようにすることで固定性を向上させることができる。
【００２０】
そこで、図３に、図１の体温測定装置の使用状態の説明図を示す。図３（Ａ）に示すように、体温測定装置１１のクリップ部１７が開状態とされ、図３（Ｂ）、（Ｃ）に示すように、測定者の皮膚２１上に着用している衣類２２の一端から当該クリップ部１７を皮膚２１側になるように差し込み、閉状態とさせることよりクリップ部１７の衣類装着面１７Ａと装置本体１２の段差面１３Ａとにより衣類２２の一端を挟持することとなって装着状態となる。
【００２１】
この装着により、皮膚温度センサ１５が設けられた皮膚側筐体面１３がクリップ部１７と同一側に設けられており、当該皮膚側筐体面１３に設けられた皮膚温度センサ１５が皮膚２１と接触状態となる。また、このときには皮膚側筐体面１３とクリップ部１７とは、図３（Ｂ）に示すように、略平面状態となる。
【００２２】
このような装着状態を上方より見たときに、図３（Ｃ）に示すように、皮膚２１と衣類２２との間にはクリップ部１７が介在されることとなり、当該クリップ部１７の厚さ分により生じる空間はきわめて少ないものとなる。
【００２３】
すなわち、体温測定装置１１を装着したときに、測定者にとっては衣類２２と一体感を与え、装置装着による違和感や不快感を軽減させて装着性を向上させることができるものである。また、装着時のクリップ部１７と皮膚温度センサ１５の配置されている皮膚側筐体面１３とを略平面状態とさせることから、皮膚２１に皮膚温度センサ１５をむやみに押し付けることなく接触状態を確保することができるものである。
【００２４】
なお、上記クリップ部１７は、皮膚２１に直接触れることとなることから、装着時に冷感を感じさせないようにすることが好ましい。例えば、クリップ部１７上に薄手の布等を貼り付けることとしてもよい。
【００２５】
次に、図４に、本発明に係る体温測定装置のクリップ部の他の形状の説明図を示す。上述の図１〜図３では、クリップ部１７を板状として示したが、これに限定されるものではなく、衣類２２の一端を挟持できる形状であればよい。例えば、図４（Ａ）に示すように、内側をくり抜いて外側周縁で構成した形状としてもよく、また、図４（Ｂ）に示すように、装置本体１２の段差面１３Ａより小サイズとした形状としてもよいものであり、クリップ状態を確保しつつ装置全体の軽量化を図ることができるものである。
【産業上の利用可能性】
【００２６】
本発明の体温測定装置は、身体に装着させて少なくとも皮膚温度を測定する装置の製造、販売、使用等の産業分野に利用可能である。
【符号の説明】
【００２７】
１１            体温測定装置
１２            装置本体
１３            皮膚側筐体面
１３Ａ          段差面
１４            筐体反対面
１５            皮膚温度センサ
１６            クリップ開閉基部
１７            クリップ部
１７Ａ          衣類装着面
１８            滑り止め部
１９            外部温度センサ
２０            電子回路部
２１            皮膚
２２            衣類
【図１】
2019180979.tif 000003
【図２】
2019180979.tif 000004
【図３】
2019180979.tif 000005
【図４】
2019180979.tif 000006